(57)【要約】【課題】様々な直径の規格を有する貫通孔形成用のパイプをコンクリート梁用の型枠に固定することのできるパイプ取り付け具を提供すること、および作業性の良好なコンクリート梁の貫通孔形成方法を提供する。【解決手段】波付きパイプ１２の位置決め用の突条４と波付きパイプ１２に巻き付ける結束線１３が係止される切り欠き３とを有するパイプ保持部１と、コンクリート梁用の型枠１０に対する取り付け部２とから構成される。この取り付け部２が前記型枠１０の縁に取り付けられ、前記パイプ保持部１に前記波付きパイプ１２を沿わせて位置決めされ、前記結束線１３が巻き付けられ結束される。これにより、様々な直径の規格を有する波付きパイプ１２を保持し固定することができる。【選択図】図１
2007170056.tif 000002
【特許請求の範囲】
【請求項１】
波付きパイプ（１２）の位置決め用突起と前記波付きパイプ（１２）に巻き付ける結束線（１３）が係止される切り欠き（３）とを有するパイプ保持部（１）と、コンクリート梁用の型枠（１０）に対する取り付け部（２）とからなり、前記取り付け部（２）が前記型枠（１０）の縁に取り付けられ、前記パイプ保持部（１）に前記波付きパイプ（１２）を沿わせて位置決めされ、前記結束線（１３）が巻き付けられ結束されるパイプ取り付け具。
【請求項２】
上記取り付け部（２）に釘孔（５）が設けられ、この釘孔（５）の周縁部に薄肉部（７）が形成されたことを特徴とする請求項１に記載のパイプ取り付け具。
【請求項３】
前記パイプ保持部（１）の位置決め用突起が、波付きパイプ（１２）の長さ方向に延びる突条（４）であることを特徴とする請求項１または２に記載のパイプ取り付け具。
【請求項４】
上記取り付け部（２）の裏面に突起（８）が設けられたことを特徴とする請求項１から３のいずれかに記載の貫通孔形成用パイプ取り付け具。
【請求項５】
上記パイプ保持部（１）および取り付け部（２）の裏面両側に、所定幅のぬすみ部（９）が設けられたことを特徴とする請求項１から４のいずれかに記載の貫通孔形成用パイプ取り付け具。
【請求項６】
型枠（１０）側壁の間隔よりも長い波付きパイプ（１２）を前記型枠（１０）の側壁間に挿入し、前記型枠（１０）の両側壁の縁にそれぞれパイプ取り付け具（１６）を釘（１４）を打ち込んで固定した後、前記パイプ（１２）を前記各パイプ取り付け具（１６）に結束線（１３）を巻き付けて結束し、前記型枠（１０）にコンクリートを流し込み固化させた後、前記型枠（１０）を取り外してコンクリート梁に貫通孔を形成するコンクリート梁の貫通孔形成方法。
【請求項７】
上記パイプ（１２）を前記型枠（１０）の側壁間に挿入前に、その両端面を閉塞したこと特徴とする請求項６に記載のコンクリート梁の貫通孔形成方法。
【発明の詳細な説明】
【技術分野】
【０００１】
この発明は、型枠を用いて製作されるコンクリートの梁に、配線及び配管用の貫通孔を形成するための貫通孔形成用パイプ取り付け具およびコンクリート梁の貫通孔形成方法に関するものである。
【背景技術】
【０００２】
従来から、コンクリート建築物においてガスや電気、水道、空調、スプリンクラー等の配線及び配管を行うために、壁や梁部に貫通孔が形成される。この貫通孔は、コンクリートを打設した後では形成することが困難であるため、型枠を組んで鉄筋を配置した後、貫通孔形成用のパイプの両端にパイプ取り付け具を取り付ける。このパイプ取り付け具を前記パイプが型枠の側壁間に配置された状態で型枠の縁に固定する。その後、型枠内にコンクリートを流し込み固化させて、型枠を取り外すことで形成される。
【０００３】
上記パイプ取り付け具は、貫通孔形成用のパイプを差し込んで保持する管状のパイプ保持部と、このパイプ保持部から延び出して設けられる取り付け部とから構成される。型枠の側壁間の長さと等しい長さにカットした前記パイプにパイプ保持部を差し込み、前記取り付け部を型枠の縁に釘などで固定して使用される（特許文献１  図１参照）。
【特許文献１】実用新案登録第３０００１７７号公報
【０００４】
上記特許文献１に記載のパイプ取り付け具は、前記パイプ保持部が管状に形成され、貫通孔形成用パイプとの差し込み代を有するので、型枠の側壁間の距離が多少変わっても、貫通孔形成用のパイプを固定することができる。
【０００５】
また、上記貫通孔形成用のパイプを型枠の側壁間に固定するには、パイプ保持部から延び出して設けられた取り付け部を型枠の縁に釘などで固定すればよい。そのため、型枠内の鉄筋等が配置された狭いスペースで、貫通孔形成用パイプを支えながら型枠に釘などを斜めに打ち込んで貫通孔形成用パイプを固定する作業が不要となり、前記パイプを容易に型枠の側壁間に固定することができる。
【発明の開示】
【発明が解決しようとする課題】
【０００６】
コンクリート梁に形成される貫通孔は、その用途に応じて様々な直径の規格を有する貫通孔形成用のパイプによって形成される。上記特許文献１に記載のパイプ取り付け具は、管状のパイプ保持部に貫通孔形成用のパイプを差し込んで型枠の側壁間に保持するものであるので、前記パイプ保持部の直径と異なる直径の規格のパイプには適用することができない。そのため、直径の異なる規格のパイプに適用させるには、その直径の規格に対応したパイプ保持部を備えたパイプ取り付け具を別に準備しておく必要があるという問題があった。
【０００７】
また、別にパイプ取り付け具を製作し準備しておく分だけ金型の製作費などコスト高となるという問題もあった。
【０００８】
さらに、上記特許文献１に記載のパイプ取り付け具は、その取り付け部を型枠に固定する際に用いた釘が、型枠を取り外したコンクリート梁から突出した状態で残り、これを抜き取ることが難しいという問題があった。
【０００９】
そこで、この発明は、様々な直径の規格を有する貫通孔形成用のパイプをコンクリート梁用の型枠間に固定できるパイプ取り付け具を提供すること、および作業性の良好なコンクリート梁の貫通孔形成方法を提供することを課題とする。
【課題を解決するための手段】
【００１０】
前記の課題を解決するために、この発明のパイプ取り付け具は、波付きパイプの位置決め用突起と前記波付きパイプに巻き付ける結束線が係止される切り欠きとを有するパイプ保持部と、コンクリート梁用の型枠に対する取り付け部とを備え、前記取り付け部が前記型枠の縁に取り付けられ、前記パイプ保持部に前記波付きパイプを沿わせて位置決めされ、前記結束線が巻き付けられ結束される構成を採用したのである。
【００１１】
この構成によると、上記取り付け部が前記型枠の縁に取り付けられ、前記パイプ保持部に前記波付きパイプを沿わせて位置決めされ、前記結束線が巻き付けられ結束されることでパイプ保持部に前記波付きパイプを保持することができる。これにより、様々な直径の規格を有する貫通孔形成用パイプを１種類の貫通孔形成用パイプ取り付け具により保持し固定することができる。
【００１２】
また、上記の構成において、上記取り付け部に釘孔が設けられ、この釘孔の周縁部に薄肉部が形成された構成とすることができる。これにより、コンクリート梁に埋め込まれた前記取り付け部の釘を引っ張ると取り付け部の釘孔の周縁部の薄肉部がちぎれて、この釘孔の周縁部とともに釘を容易に引き抜くことができる。
【００１３】
さらに、上記パイプ保持部の位置決め用突起が、波付きパイプの長さ方向に延びる突条である構成を採用することができる。これにより、貫通孔形成用パイプにパイプ保持部裏面を当てがうと、その突条の間に貫通孔形成用パイプが位置決めされるので、この貫通孔形成用パイプをパイプ保持部に結束線で容易に保持できる。
【００１４】
上記取り付け部の裏面に突起が設けられた構成とすると、この取り付け部を型枠の側壁上面に押さえつけることで突起が型枠に食い込んで回転などのズレを防止することができる。
【００１５】
また、上記パイプ保持部および取り付け部の裏面両側に、ぬすみ部が所定幅に設けられた構成とすることができる。これにより、コンクリート梁用の型枠にコンクリートが流しこまれると、このぬすみ部にコンクリートが回り込み、コンクリート梁が形成された後、型枠が取り外される際に、取り付け部が型枠とともにコンクリート梁から剥がれるのを防止することができる。
【００１６】
また、この発明のコンクリート梁の貫通孔形成方法は、型枠側壁の間隔よりも長い波付きパイプを前記型枠の側壁間に挿入し、前記型枠の両側壁の縁にそれぞれパイプ取り付け具を釘を打ち込んで固定した後、前記パイプを前記各パイプ取り付け具に結束線を巻き付けて結束し、前記型枠にコンクリートを流し込み固化させた後、前記型枠を取り外す構成としたのである。
【００１７】
この構成によると、上記型枠の側壁の間隔よりも長い波付きパイプを長さ方向に圧縮して型枠の側壁間に挿入することで、そのパイプがその復元力により型枠の側壁間に突っ張った状態で仮止めされる。このため、型枠にパイプを固定する際に、パイプを支える必要がなくなり、型枠の側壁間に突っ張った状態のパイプをパイプ保持部に結束線を巻き付けて結ぶことで容易に保持させることができる。
【発明の効果】
【００１８】
以上のように、この発明のパイプ取り付け具は、様々な直径の規格を有する貫通孔形成用のパイプを１種類のパイプ取り付け具により保持し固定することができる。
【００１９】
また、この発明のコンクリート梁の貫通孔形成方法は、波付きパイプが型枠の側壁間に突っ張った状態で仮止めされ、そのパイプをパイプ保持部に容易に保持させることができるので、型枠にパイプを固定する際に、パイプを支える必要がなくなり作業性が向上する。
【発明を実施するための最良の形態】
【００２０】
以下、添付図面に基づいてこの発明の実施形態を説明する。
この発明の第１実施形態のパイプ取り付け具を添付図面図１〜図３に示す。この実施形態のパイプ取り付け具は、図１に示すように、矩形の板状に形成されたパイプ保持部１と、このパイプ保持部１の一方の短辺から延び出して設けられる取り付け部２とから構成される。
【００２１】
上記パイプ保持部１および取り付け部２は、図１（ｂ）に示すように、その裏面両側に、所定幅のぬすみ部９が設けられる。前記パイプ保持部１の両側に、対向する一対の切り欠き３、３が所定の間隔をもって複数対設けられる。この各一対の切り欠き３は、半円形に形成され、後述する波付きパイプ１２をパイプ保持部１に結束線１３を巻き付けて保持する際、この結束線１３が係止するものである（図３参照）。前記ぬすみ部９は、コンクリートが型枠１０に流しこまれると、このぬすみ部９にコンクリートが回り込むため、コンクリート梁が形成された後、型枠が取り外される際に取り付け部２が型枠とともにコンクリート梁から剥がれるのを防止することができる。
【００２２】
このパイプ保持部１の裏面には、図１（ｂ）に示すように、上記各ぬすみ部９の内側から下方に突き出す突条４、４が設けられる。この各突条４、４の間には、この突条４、４と平行に凹部１７が形成される。
【００２３】
上記パイプ保持部１を上記波付きパイプ１２に当てがうと、上記各突条４、４は、パイプ１２の長さ方向に設けられているので、その先端部にそのパイプ１２が当たり、前記パイプ保持部１が位置決めされる。また、直径が比較的小さい貫通孔形成用パイプ１２にパイプ保持部１を当てがうと、各突条４の先端と前記凹部１７に小径のパイプ１２が当たって位置決めされる。これにより、様々な直径の規格を有する波付きパイプ１２を、上記結束線１３を巻き付けて結ぶことで１種類の貫通孔形成用パイプ取り付け具１６に保持し固定することができる。
【００２４】
さらに、上記パイプ１２にパイプ取り付け具１６が位置決めされているので、これに結束線１３を巻き付ける際に、パイプ取り付け具１６の位置がずれることがなく、パイプ１２にパイプ保持部１を結束線１３で容易に保持し固定することができる（図３参照）。
【００２５】
上記パイプ保持部１から延び出して設けられる取り付け部２には、図２に示すように、釘孔５が２箇所に長さ方向に並んで設けられる。前記取り付け部２の表面および裏面には釘孔５を中心とする同心円状の溝６が形成され、この溝６によって釘孔５の周縁部に薄肉部７が形成される（図２参照）。これにより、コンクリート梁１５に埋め込まれた釘１４を引っ張ると取り付け部２の釘孔５の周縁部の薄肉部７がちぎれて、この釘孔５の周縁部とともに釘１４を容易に引き抜くことができる。
【００２６】
また、前記取り付け部２の裏面には、山形の突起８が前記釘孔５の溝６の両側の２箇所に設けられる。これにより、前記取り付け部２を型枠１０の側壁上面に押さえ付けると、突起８が型枠１０に食い込み取り付け部２の回転などのズレを防止することができる。
【００２７】
次に、この発明の第２実施形態のコンクリート梁の貫通孔形成方法を添付図面図４（ａ）から（ｆ）に基づいて説明する。
【００２８】
まず、図４（ａ）に示すように、コンクリート梁用の型枠１０を組み立て、その型枠１０内の所定位置に鉄筋１１を配置する。次に、合成樹脂製の波付きパイプであるＣＤ管１２の長さＬ１をコンクリート梁用の型枠１０の側壁間距離Ｌ２よりも若干長く（２山分程度長く）切断し、このＣＤ管１２の両端面を粘着テープなどで閉塞する。このＣＤ管１２の両端面を閉塞することで、型枠１０に生コンクリートを流し込んだ際に、ＣＤ管１２内にコンクリートが侵入することを防ぐことができる。
【００２９】
次に、上記ＣＤ管１２を長さ方向に圧縮し、型枠１０の側壁間に押し入れると、このＣＤ管１２は、その弾性による復元力によって、型枠１０の側壁上部の間に突っ張った状態で仮固定される（図４（ｂ）参照）。このため、ＣＤ管１２を支える必要がなくなり、作業性が向上する。
【００３０】
仮固定された上記ＣＤ管１２の両端部に上記パイプ取り付け具１６のパイプ保持部１を当てがうとともに、その取り付け部２を型枠１０の側壁上面に載せる。このとき、前記パイプ保持部１の裏面両側には、突条４がＣＤ管１２の長さ方向に形成されているので、ＣＤ管１２がこの各突条４間に沿い、前記パイプ取り付け具１６を容易に位置決めすることができる。さらに、位置決めされた取り付け部２を型枠１０に押さえ付けると、裏面に設けられた突起８が型枠１０に食いこんでパイプ取り付け具１６の位置ずれを防ぐことができる。
【００３１】
次に、上記パイプ取り付け具１６のパイプ保持部１の両側に設けられる対向する切り欠き３に結束線１３を引っ掛けて前記ＣＤ管１２に巻き付け、この結束線１３を結束してパイプ保持部１にＣＤ管１２を固定する。このとき、パイプ保持部１の対向する切り欠き３は、複数対設けられているためＣＤ管１２側面の谷部の位置に対応させて複数の結束線１３をＣＤ管１２に巻き付けて固定することができる。
【００３２】
上記ＣＤ管１２をパイプ保持部１に固定した後に、パイプ取り付け具１６の取り付け部２をその釘孔５に釘１４を打ち込んで型枠１０の上面に固定する（図４（ｃ）参照）。
【００３３】
その後、図４（ｄ）に示すように、周知の手法により型枠１０内に生コンクリートを流し込み、このコンクリートが固化した後に、前記型枠１０を取り外す（図４（ｅ）参照）。
【００３４】
上記型枠１０を取り外したコンクリート梁１５は、パイプ取り付け具１６が埋め込まれ、その取り付け部２の釘孔５に打ち込まれた釘１４が突き出た状態となっている。この釘１４を引き抜いて、ＣＤ管１２の両端面を閉塞していた粘着テープを破って、ＣＤ管１２の両端面に穴を開ける。前記釘孔５の周縁部には薄肉部７が形成されているので、前記釘１４を引っ張ると釘孔５の周縁部の薄肉部７がちぎれて、この釘孔５の周縁部７とともに釘１４を容易に引き抜くことができる。これにより、前記コンクリート梁１５にＣＤ管１２による貫通孔を形成することができる（図４（ｆ）参照）。
【００３５】
なお、上記パイプ取り付け具１６は、そのパイプ保持部１と取り付け部２とが互いに直角に設けられたものとしてもよい。このようにすると、上記型枠１０の側壁内面の中段位置に取り付け部２を釘打ちして、その中段位置にＣＤ管１２を固定することができるからである。
【図面の簡単な説明】
【００３６】
【図１】（ａ）第１実施形態のパイプ取り付け具の表面を示す斜視図、（ｂ）同上のパイプ取り付け具の裏面を示す斜視図
【図２】（ａ）同上のパイプ取り付け具を示す平面図、（ｂ）図１に示すＢ−Ｂ線の断面図、（ｃ）図１に示すＣ−Ｃ線の断面図、（ｄ）図１に示すＤ−Ｄ線の断面図
【図３】同上の使用状態を示す斜視図
【図４（ａ）】第２実施形態のコンクリート梁の貫通孔形成方法のＣＤ管を取り付ける前の状態を示す簡略図
【図４（ｂ）】同上のＣＤ管を取り付けた状態を示す簡略図
【図４（ｃ）】同上のパイプ取り付け具を取り付けた状態を示す簡略図
【図４（ｄ）】同上のコンクリートを流し込んだ状態を示す簡略図
【図４（ｅ）】同上の型枠を取り外した状態を示す簡略図
【図４（ｆ）】同上の釘を引き抜いた状態を示す簡略図
【符号の説明】
【００３７】
１  パイプ保持部
２  取り付け部
３  切り欠き
４  突条
５  釘孔
６  溝
７  薄肉部
８  突起
９  ぬすみ部
１０  型枠
１１  鉄筋
１２  波付きパイプ
１３  結束線
１４  釘
１５  コンクリート梁
１６  パイプ取り付け具
１７  凹部
【図１】
2007170056.tif 000003
【図２】
2007170056.tif 000004
【図３】
2007170056.tif 000005
【図４（ａ）】
2007170056.tif 000006
【図４（ｂ）】
2007170056.tif 000007
【図４（ｃ）】
2007170056.tif 000008
【図４（ｄ）】
2007170056.tif 000009
【図４（ｅ）】
2007170056.tif 000010
【図４（ｆ）】
2007170056.tif 000011